(57)【要約】【課題】表示画面の拡大と扁平性の維持。【解決手段】外装本体３の内部に対して出没する表示器２と、表示器２の出没を制御する出没機構１５と、外装本体３の表面に現れ出没機構１５の出没動作を開始させる出没動作器９とから構成されている。表示器２は、面構造の表示画面１１と、表示画面１１を囲う枠１２とから形成されている。表示器２の出動と没動は出没動作器９の指操作により選択され、表示画面１１の全面は指操作による出動により外装本体３の外側に現れ、その全面は指操作による没動により外装本体３の内側に隠れる。薄型の表示画面１１の内蔵は、外装本体３の厚さの増加を低く抑えることができる。外装本体３の厚さの増加幅を設計的に最小限に抑えることができる。小型の携帯通信端末の表示画面の拡大と全体の薄型のデザイン保持とが両立する。【選択図】          図１
2005094518.tif 000002
【特許請求の範囲】
【請求項１】
外装本体と、
前記外装本体の内部に対して出没する表示器と、
前記表示器の出没を制御する出没機構と、
前記外装本体の表面に現れ前記出没機構の出没動作を開始させる出没動作器とを構成し、
前記表示器は、
面構造の表示画面と、
前記表示画面を囲う枠とを形成し、
前記表示器の出動と没動は前記出没動作器の指操作により選択され、前記表示画面の全面は前記指操作による前記出動により前記外装本体の外側に現れ、前記全面は前記指操作による前記没動により前記外装本体の内側に隠れる
通信端末の表示構造。
【請求項２】
前記表示器は、前記外装本体の前記表面に概ね平行である面の上で出没動作する
請求項１の通信端末の表示構造。
【請求項３】
前記表示画面は前記外装本体の前記表面に概ね平行である
請求項２の通信端末の表示構造。
【請求項４】
前記表示器の表示画面の出没動方向は直線方向であり、前記表示画面の出没動方向幅は前記副表示器の副表示画面の出没動方向幅より広い
請求項３の通信端末の表示構造。
【請求項５】
前記枠は第１面を有し、前記外装本体は第２面を有し、前記全面が前記外装本体の内側に隠れるときには、前記第１面は前記第２面に接合する
請求項１の通信端末の表示構造。
【請求項６】
前記外装本体に現れる副表示器を更に構成する
請求項１の通信端末の表示構造。
【請求項７】
前記表示器の表示画面の出没動方向は直線方向であり、前記表示画面の出没動方向幅は前記副表示器の副表示画面の出没動方向幅より広い
請求項６の通信端末の表示構造。
【請求項８】
前記出没機構は、
前記枠に出没動作力を与えるモータを形成し、前記モータは前記外装本体に支持され、
前記モータの出力軸に結合する重心偏心体を更に構成し、
前記全面が前記外装本体の内側に隠れるときには、前記モータの出力軸は前記枠に結合しないで第１速度で回転し、前記枠の出没動作の際には、前記モータの出力軸は前記枠に結合して第２速度で回転し、前記第１速度は前記第２速度より高速である
請求項１の通信端末の表示構造。
【請求項９】
前記全面が前記外装本体の外側に完全に現れて出没動作が停止している間は、前記モータの出力軸は前記枠に結合している
請求項８の通信端末の表示構造。
【請求項１０】
前記出没機構は、
前記枠に形成されるラックと、
前記出力軸に結合されるピニオンとを更に形成し、
前記ピニオンは前記指操作により前記ラックに対して噛み合い自在に進退動する
請求項８又は９の通信端末の表示構造。
【請求項１１】
前記ピニオンと前記重心偏心体は同軸に前記出力軸に結合している
請求項１０の通信端末の表示構造。
【発明の詳細な説明】
【技術分野】
【０００１】
本発明は、通信端末の表示構造に関し、特に、移動式又は携帯式の通信端末の表示構造に関する。
【背景技術】
【０００２】
小型通信端末は、それの主表示画面の大型化が進められている。その大型化に伴って、主表示画面の機械的破壊の防止が求められている。小型通信端末の主表示画面とは別に、副表示画面が配置されることが好ましく、表示情報量が少ない場合には副表示画面が用いられ、表示情報量が多い場合には主表示画面が用いられことが好ましい。表示パネルが移動式である技術は、後掲特許文献１，２で知られている。主画面の全表示面が外装本体の中に完全に収納されることが求められる。人力に依存しないでモータ駆動によりその動作機構が安定していることが好ましい。モータの追加が部品点数の増加を招くことがないことが特に望まれる。主画面使用時に全体が扁平であり使い勝手がよいことが望まれる。結果的に、表示画面の拡大と全体の薄型のデザイン保持との両立が求められる。
【０００３】
【特許文献１】特開平１０−５１７１２号
【特許文献２】特開２００３−１２４６４０号
【発明の開示】
【発明が解決しようとする課題】
【０００４】
本発明の課題は、主画面の全表示面が外装本体の中に完全に収納される通信端末の表示構造を提供することにある。
本発明の他の課題は、人力に依存しないでモータ駆動によりその動作機構が安定している通信端末の表示構造を提供することにある。
本発明の更に他の課題は、モータの追加が部品点数の増加を招くことがない通信端末の表示構造を提供することにある。
本発明の更に他の課題は、主画面使用時に全体が扁平である通信端末の表示構造を提供することにある。
本発明の更に他の課題は、画面の拡大と扁平性の維持が両立する通信端末の表示構造を提供することにある。
【課題を解決するための手段】
【０００５】
本発明による通信端末の表示構造は、外装本体（３）と、外装本体（３）の内部に対して出没する表示器（２）と、表示器（２）の出没を制御する出没機構（１５）と、外装本体（３）の表面に現れ出没機構（１５）の出没動作を開始させる出没動作器（９）とから構成されている。表示器（２）は、面構造の表示画面（１１）と、表示画面（１１）を囲う枠（１２）とから形成されている。表示器（２）の出動と没動は出没動作器（９）の指操作により選択され、表示画面（１１）の全面は指操作による出動により外装本体（３）の外側に現れ、その全面は指操作による没動により外装本体（３）の内側に隠れる。
【０００６】
表示画面（１１）は、面構造であり扁平に形成されている。ここで、面構造の表示画面は電子線ビーム照射式の３次元構造の表示画面ではなく、液晶表示画面、プラズマ型表示画面のように表示画面に同体に薄く形成される２次元電極型の表示画面である。薄型の表示画面（１１）の内蔵は、外装本体（３）の厚さの増加を低く抑えることができる。この場合に、表示器（２）が外装本体（３）の表面に概ね平行である面の上で出没動作することにより、外装本体（３）の厚さの増加幅は、薄型の表示画面（１１）又は表示器（２）の厚みの程度で済む。特に、表示画面（１１）が外装本体（３）の表面に概ね平行であることは、外装本体（３）の厚さの増加幅を設計的に最小限に抑えることができる。小型の携帯通信端末の表示画面の拡大と全体の薄型のデザイン保持とが両立する。出没動作は、表示器と外装本体の折り畳み構造のためのヒンジ機構が必要でなく、部品点数の増加を招かない。
【０００７】
枠（１２）は第１面（１９）を有し、外装本体（３）は第２面（２１）を有している。このような面は、全体的に又は部分的に出没方向に概ね直交している。表示画面（１１）の全面が外装本体（３）の内側に隠れるときには、第１面（１９）は第２面（２１）に接合する。このような接合は、使用時の表示器（２）を安定化させる。
【０００８】
外装本体（３）に、これに現れる副表示器（５）が配置されている。表示情報量が少ない場合には、副表示器（５）が用いられる。表示器（２）の表示画面（１１）の出没動方向は直線方向であり（線形であり）、表示画面（１１）の出没動方向幅は副表示器（５）の副表示画面（４）の出没動方向幅より広いことが主表示画面の追加の趣旨に合致する。
【０００９】
出没機構（１５）には、枠（１２）に出没動作力を与えるモータ（１６）が用いられる。モータ（１６）は外装本体（３）に支持され、モータ（１６）の出力軸（１７）には重心偏心体（１８）が結合する。全面（１１）が外装本体（３）の内側に隠れるときには、モータ（１６）の出力軸（１７）は枠（１２）に結合しないで第１速度で回転し、枠（１２）の出没動作の際には、モータ（１６）の出力軸（１７）は枠（１２）に結合して第２速度で回転する。この場合に、第１速度は第２速度より高速であることが重要である。このような２通りの速度の相違は、モータ（１６）に出没機能とバイブレーション機能の兼用を簡単に可能にする。
【００１０】
その全面が外装本体（３）の外側に完全に現れて出没動作が停止している間は、モータ（１６）の出力軸（１７）が枠（１２）に結合していることは好都合である。表示器（２）の位置遷移期間以外では、バイブレーション機能が回復していることが好ましい。
【００１１】
出没機構（１５）は、枠（１２）に形成されるラック（１３）と、出力軸（１７）に結合されるピニオン（１４）とで形成される。ピニオン（１４）は指操作によりラック（１３）に対して噛み合い自在に進退動する。ピニオン・ラック機構は、回転式のヒンジ機構より構造が簡素である。この場合には、ピニオン（１４）と重心偏心体（１８）は同軸に出力軸（１７）に結合している。このような構造は、バイブレーション機能と出没動作機能を兼備する出没機構の構造を最大限に簡素化する。
【発明の効果】
【００１２】
本発明による通信端末の表示構造は、主画面の全表示面が外装本体の中に完全に収納されるが、その薄型構造を保持することができる。人力に依存しないでモータ駆動によりその動作機構が安定していてる。バイブレーション機能と出没機能の兼備は、部品点数の増加を最小限に抑制する。主画面使用時に全体が扁平に維持される。特には、車載器用通信端末、携帯用通信端末、移動式通信端末に対して利便性がよい。
【発明を実施するための最良の形態】
【００１３】
本発明による通信端末の表示構造の実現態は、図に対応して、更に詳細に記述される。その実現態は、図１に示されるように、外装本体１と出没自在な主表示器２とから構成されている。外装本体１には、外装本体表面３の側に副表示画面４が現れる副表示器５が形成されている。外装本体１には、更に、マイク６と十字キー７とテンキー８とが形成されている。
【００１４】
外装本体１の外装本体表面３の４隅のうちの１つの隅に、主表示器出没動作器９が配置されている。主表示器出没動作器９は、指でタッチすることができる。その指タッチとしては、押し動作が好適に例示される。その押し動作が解消されれば、主表示器出没動作器９は始動位置に自動的に復帰することができる。
【００１５】
主表示器２は、主表示画面１１と主表示画面１１を４周域で囲む枠１２とから形成されている。枠１２の側面には、ラック１３が取り付けられている。主表示画面１１は、出没方向に直交する直交方向（横方向）に長く形成されている。主表示画面１１の縦幅（出没方向幅）は設計的に可能である程度に外装本体１の縦幅に近い寸法に設計され、主表示画面１１の横幅（直交方向幅）は設計的に可能である程度に外装本体１の横幅に近い寸法に設計されている。主表示画面１１の縦幅は、副表示画面４の縦幅より十分に広い。
【００１６】
主表示画面１１は外装本体の表面に概ね平行であることは、全体のデザインを扁平に維持することができる点で重要である。表示器２の表示画面１１の出没動方向は直線方向であり、主表示画面１１の出没動方向幅は副表示器５の副表示画面４の出没動方向幅より広い。
【００１７】
外装本体１には、主表示器出没動作器９の近傍に、ピニオン１４が配置されて設けられている。ピニオン１４は、図２に示される出没駆動機構１５を構成している。出没駆動機構１５は、小型モータ１６と出力回転軸１７と出力回転軸１７に同心的に固定されている重心偏心回転体１８とピニオン１４とから形成されている。ピニオン１４は、重心偏心回転体１８に同体に且つ同軸に結合している。ピニオン１４の回転軸心線は、出力回転軸１７の回転軸心線Ｌに一致している。重心偏心回転体１８の重心は、回転軸心線Ｌの上にはない。
【００１８】
図３は、ラック１３とピニオン１４との立体的位置関係を示している。回転軸心線Ｌの上に、揺動中心点Ｐが設定される。出没駆動機構１５は、回転軸心線Ｌを含みラック１３により規定されピニオン１４が走行する走行方向に直交する直交面である揺動面の上で、揺動中心点Ｐを中心として揺動する。揺動角度範囲は、図中に、θで示されている。出没駆動機構１５のピニオン１４は、待避位置と噛合い位置の間で、その揺動面の上で揺動する。待避位置では小型モータ１６に駆動電力が供給されず、噛合い位置では小型モータ１６に駆動電力が供給される。
【００１９】
主表示器出没動作器９の１回目の指押しにより、ピニオン１４は待避位置から噛合い位置に位置遷移する。その出動作中には、小型モータ１６に駆動電力が供給される。噛合い状態で正方向に回転するピニオン１４に噛み合うラック１３は、外装本体１から出る出方向に運動する。小型モータ１６の回転数は規定されていて、図１に示されるように、主表示器２は出位置で停止しその位置が保持される。主表示器出没動作器９の２回目の指押しにより、ピニオン１４は噛合い位置から待避位置に位置遷移する。その没動作中には、小型モータ１６に駆動電力が供給される。噛合い状態で負方向に回転するピニオン１４に噛み合うラック１３は、外装本体１に没入する入方向に運動する。小型モータ１６の回転数は規定されていて、主表示器２は没位置で停止しその位置が保持され、主表示画面１１は完全に外装本体表面３の中に収納される。その収納状態では、枠１２の表面の一部分１９は、外装本体表面３の出没口開口面（出没方向に直交する側面）２１に接合する。
【００２０】
重心偏心回転体１８は、図３に示されるように、一部切欠き円柱として形成されている。その切欠き２２は、９０度の範囲に形成されている。ピニオン１４が待避位置（非噛合い位置）にあり、主表示器２が外装本体１に没入しているときには、本通信機が信号を受信する際に、小型モータ１６に駆動電流が供給され、重心偏心回転体１８は重心偏心的に回転し、出力回転軸１７に振動を発生させる。その振動は、出力回転軸１７を支持する小型モータ１６を支持している外装本体３に伝達される。その振動は、受信告知信号として用いられる。
【００２１】
主表示画面１１の全面が外装本体３の内側に隠れるときには、モータ１６の出力軸１７は枠１２に結合しないで第１速度で回転し、枠１２の出没動作の際には、モータ１６の出力軸１７は枠に結合して第２速度で回転する。第１速度は第２速度より高速である。主表示画面１１の全面が外装本体３の内側に隠れているときには、受信信号が存在すれば、モータは空転し、高速で回転する重心偏心回転体１８はバイブレーション機能を有する。枠１２の出没動作の際には、モータの出力軸は枠に結合して第２速度で回転し、そのバイブレーション機能は実質的に失われる。その全面が外装本体３の外側に完全に現れるときには、モータ１６の出力軸は枠に結合していることが有効である。主表示画面１１の使用中に信号を受信する場合に、そのバイブレーション機能が回復していることは好都合である。
【図面の簡単な説明】
【００２２】
【図１】図１は、本発明による通信端末の表示構造の実現態を示す正面図である。
【図２】図２は、出没機構を示す正面図である。
【図３】図３は、出没機構を示す斜軸投影図である。
【符号の説明】
【００２３】
２…表示器
３…外装本体
４…副表示画面
５…副表示器
９…出没動作器
１１…表示画面（全面）
１２…枠
１３…ラック
１４…ピニオン
１５…出没機構
１６…モータ
１７…出力軸
１８…重心偏心体
１９…第１面
２１…第２面
【図１】
2005094518.tif 000003
【図２】
2005094518.tif 000004
【図３】
2005094518.tif 000005